(57)【要約】      （修正有）【課題】固体と液体とが混在するごみを固体ごみと液体ごみとに分離分別して回収することができると共に、分別回収した固体ごみを容易に取り出すことができるごみ分別ボックスを提供する。【解決手段】ごみ分別ボックス１０は、前面に開閉扉３を備えたボックス本体１と、ボックス本体１の上部に設けられたごみ投入口２と、ボックス本体１の中間部板８に設置された固体ごみ収容容器７と、ボックス本体１の下部板１４に設置された液体ごみ収容容器１３と、ごみ分離手段とを有する。固体ごみ収容容器７は、開閉扉３を開いた状態で、ボックス本体１から着脱自在となるように設置されている。【選択図】図２
0003158031.tif 000002
【実用新案登録請求の範囲】
【請求項１】
前面に開閉扉を備えたボックス本体と、該ボックス本体の上部に設けられたごみ投入口と、前記ボックス本体の中間部板に設置された固体ごみ収容容器と、前記ボックス本体の下部板に設置された液体ごみ収容容器と、ごみ分離手段とを有し、前記ごみ投入口に投入された固体と液体とが混在するごみを、前記ごみ分離手段によって、前記固体ごみ収容容器と、前記液体ごみ収容容器との中へ各々、固体ごみと液体ごみとに分離して回収することができ、且つ前記固体ごみ収容容器は、前記開閉扉を開いた状態で、前記ボックス本体から着脱自在となるように設置されていることを特徴とするごみ分別ボックス。
【請求項２】
固体ごみ収容容器の底面に設けられた複数の穴がごみ分離手段を構成していることを特徴とする請求項１に記載のごみ分別ボックス。
【請求項３】
固体ごみ収容容器の底面に設けられた複数の穴から落下する液体を回収して液体ごみ収容容器内へ収容する液体ごみ回収部を有することを特徴とする請求項２に記載のごみ分別ボックス。
【請求項４】
液体ごみ収容容器は、ボックス本体から着脱自在となるように設置されていることを特徴とする請求項１から３のいずれか１項に記載のごみ分別ボックス。
【請求項５】
固体ごみ収容容器の両側面は、中間部板に設置された位置決めレールによって規制され、着脱自在に固定されていることを特徴とする請求項１から４のいずれか１項に記載のごみ分別ボックス。
【考案の詳細な説明】
【技術分野】
【０００１】
本考案は、カップ麺等の固体と液体とが混在するごみを、固体ごみと液体ごみとに分離して回収することができるごみ分別ボックスに関するものである。
【背景技術】
【０００２】
従来から、飲み残しの汁類と、容器とを分別して回収するために、汁類の回収口と、容器の回収口とが別々に設けられているごみ箱は知られている（特許文献１参照）。
【０００３】
同様に、液体類投入口と、容器類投入口とが別々に設けられ、さらにカップ麺等の残り汁の中に混じっている固形物を除去するために、液体類投入口の内部の液体貯蔵器の開口部に網状の袋が設置されているごみ容器も知られている（特許文献２参照）。
【特許文献１】実開平５―４９７０１号公報
【特許文献２】特開平９−１２４１０２号公報
【考案の開示】
【考案が解決しようとする課題】
【０００４】
しかしながら、上記特許文献１に記載されたごみ箱では、飲み残しの汁類に固形物が混じっている場合には、ごみ箱設置者であるコンビニエンスストアの経営者等の責任によって、さらに固形物と液体とを分離分別してごみ処理を行う必要があり、人件費が嵩んでいた。
【０００５】
また、上記特許文献２に記載されたごみ容器では、網状の袋によってカップ麺等の残り汁に含まれている固形物は除去されるものの、網状の袋が固形物で満たされた状態となった場合に、液体貯蔵器から網状の袋を取り出し、さらに固形物を廃棄した後、液体貯蔵器に網状の袋を設置する作業を必要としていた。
【０００６】
本考案は、上記課題を解決するためのものであり、固体と液体とが混在するごみを固体ごみと液体ごみとに分離分別して回収することができると共に、分別回収した固体ごみを容易に取り出すことができるごみ分別ボックスを提供することを目的とする。
【課題を解決するための手段】
【０００７】
上記課題を解決するため、請求項１に記載のごみ分別ボックスは、前面に開閉扉を備えたボックス本体と、該ボックス本体の上部に設けられたごみ投入口と、前記ボックス本体の中間部板に設置された固体ごみ収容容器と、前記ボックス本体の下部板に設置された液体ごみ収容容器と、ごみ分離手段とを有し、前記ごみ投入口に投入された固体と液体とが混在するごみを、前記ごみ分離手段によって、前記固体ごみ収容容器と、前記液体ごみ収容容器との中へ各々、固体ごみと液体ごみとに分離して回収することができ、且つ前記固体ごみ収容容器は、前記開閉扉を開いた状態で、前記ボックス本体から着脱自在となるように設置されていることに特徴を有する。したがって、ごみ投入口に投入された固体と液体とが混在するごみの中で、先ず、固体ごみを固体ごみ収容容器に収容し、次に、液体ごみを液体ごみ収容容器に収容することができる。また、固体ごみ収容容器をボックス本体から容易に着脱することができるので、固体ごみ収容容器が固体ごみで満たされた状態になった場合に固体ごみを別の容器等に移し替えることを容易に行うことができる。
【０００８】
また、請求項２に記載の考案は、請求項１の考案において、固体ごみ収容容器の底面に設けられた複数の穴がごみ分離手段を構成していることに特徴を有する。したがって、固体ごみは、固体ごみ収容容器に収容され、液体ごみは、固体ごみ収容容器の底面に設けられた複数の穴を通過して下方へ落下して、液体ごみ収容容器に回収される。
【０００９】
また、請求項３に記載の考案は、請求項２の考案において、固体ごみ収容容器の底面に設けられた複数の穴から落下する液体を回収して液体ごみ収容容器内へ収容する液体ごみ回収部を有することに特徴を有する。したがって、液体ごみ回収部によって、液体ごみを確実に液体ごみ収容容器内へと収容することができる。
【００１０】
また、請求項４に記載の考案は、請求項１から３のいずれか１項の考案において、液体ごみ収容容器は、ボックス本体から着脱自在となるように設置されていることに特徴を有する。したがって、液体ごみ収容容器をボックス本体から容易に着脱することができるので、液体ごみ収容容器が液体ごみで満たされた状態になった場合に、液体ごみを別の容器等に移し替えることを容易に行うことができる。
【００１１】
また、請求項５に記載の考案は、請求項１から４のいずれか１項の考案において、固体ごみ収容容器の両側面は、中間部板に設置された位置決めレールによって規制され、着脱自在に固定されていることに特徴を有する。したがって、固体ごみ収容容器を位置決めレールの間に挿入すれば固体ごみ収容容器の設置が完了し、ごみ投入口から投入されたごみを確実に固体ごみ収容容器内へ入れることができる。
【考案の効果】
【００１２】
請求項１に記載の考案によって、固体ごみと液体ごみとを分離分別して回収することができる。また、固体ごみ収容容器が固体ごみで満たされた状態になった場合に固体ごみを別の容器等に移し替えることを容易に行うことができる。
【００１３】
請求項２に記載の考案によって、簡易な構造で、固体ごみと液体ごみとを分離させることができる。
【００１４】
請求項３に記載の考案によって、液体ごみ回収部が、液体ごみを確実に液体ごみ収容容器内へと収容することができる。
【００１５】
請求項４に記載の考案によって、液体ごみ収容容器が液体ごみで満たされた状態になった場合に、液体ごみを別の容器等に移し替えることを容易に行うことができる。
【００１６】
請求項５に記載の考案によって、ごみ投入口から投入されたごみを確実に固体ごみ収容容器内へ入れることができる。
【考案を実施するための最良の形態】
【００１７】
以下に、図面を用いて本考案の実施形態を説明する。
【００１８】
図１は、本考案に係るごみ分別ボックス１０を示す正面図である。また、図２は、開閉扉３を開いた状態の分別ボックス１０を示す正面図であり、図３は、開閉扉３を開いた状態の分別ボックス１０を示す斜視図である。また、図４は、図１におけるＡ−Ａ´線断面図であり、図５は、図１におけるＢ−Ｂ´線断面図である。また、図６は、図１におけるＣ−Ｃ´線断面図である。図１〜図６に示すように、ごみ分別ボックス１０のボックス本体１は、側板５，５と、背面板１５を備え、上部板６と、中間部板８と、下部板１４とによって３段に区画されている。
【００１９】
また、図２に示すように、本考案に係るごみ分別ボックス１０は、前面に開閉扉３を備えたボックス本体１と、このボックス本体１の上部板６の上方に設けられたごみ投入口２と、ボックス本体１の中間部板８に設置された固体ごみ収容容器７と、ボックス本体１の下部板１４に設置された液体ごみ収容容器１３とを備えている。ここで、開閉扉３は、取っ手３ａを備えた金属板で形成されており、側板５に設置されている磁石部１６によって閉められるようになっている。また、下部板１４の四隅には、支持脚４が設置されている。
【００２０】
そして、図３に示すように、ごみ投入口２に投入された固体と液体とが混在するごみを、ごみ分離手段を構成する固体ごみ収容容器７の底面に設けられた複数の穴７ａ，７ａ，・・・によって、固体ごみ収容容器７と、液体ごみ収容容器１３との中へ各々、固体ごみと液体ごみとに分離して回収することができるようになっている。また、固体ごみ収容容器７は、開閉扉３を開いた状態で、ボックス本体１から着脱自在となるように設置されている。
【００２１】
ここで、図４及び図５に示すように、固体ごみ収容容器７が、ボックス本体１から着脱自在になる構成として、固体ごみ収容容器７の両側面を案内し、規制する位置決めレール９，９が、中間部板８に設置されている。この位置決めレール９，９が中間部板８に設置されていることによって、固体ごみ収容容器７の設置位置が常に同じ位置となるので、ごみ投入口２から投入されたごみは、上部板６の傾斜面板６ａと傾斜片６ｂとを経由して、確実に、固体ごみ収容容器７内へ入ることとなるのである。
【００２２】
上述したごみ分離手段である固体ごみ収容容器７の底面に設けられた複数の穴７ａ，７ａ，・・・の直径は、カップ麺の麺ごみが通過することができない程度の大きさであることが望ましい。
【００２３】
次に、図６に示すように、固体ごみ収容容器７の底面に設けられた複数の穴７ａ，７ａ，・・・を通過した液体ごみは、液体ごみ回収部１１と、この液体ごみ回収部１１の下端に取り付けられているホース１２を経由して、液体ごみ収容容器１３の内部に収容されるのである。ここで、液体ごみ回収部１１は、円錐形の傾斜面を有する漏斗状を成しており、固体ごみ収容容器７の底面に設けられた複数の穴７ａ，７ａ，・・・を通過した液体ごみを全て回収することができるように中間部板８の下方に設置されている。
【００２４】
また、液体ごみ収容容器１３は、ボックス本体１から着脱自在となるように、下部板１４に設置されている。したがって、液体ごみ収容容器１３が液体ごみによって満たされた状態となった場合には、液体ごみ収容容器１３をボックス本体１から取り外して、他の大型の容器や排水溝へと液体ごみを移し変えることによって、液体ごみ収容容器１３内部を空にした後、液体ごみ収容容器１３をボックス本体１へ設置する作業を行うこととなる。
【００２５】
尚、液体ごみ収容容器１３を省略して、ホース１２を延長し、下部板１４に延長したホース１２を貫通させることができる穴を設ける構成とすることもできる。この場合には、液体ごみを直接ボックス本体１の外部に廃棄することが可能となる。
【産業上の利用可能性】
【００２６】
以上のように、本考案に係るごみ分別ボックスは、例えばカップ麺のごみのように固体ごみと液体ごみとが混在するごみを分別廃棄するために利用される。
【図面の簡単な説明】
【００２７】
【図１】本考案に係るごみ分別ボックスを示す正面図。
【図２】開閉扉を開いた状態の分別ボックスを示す正面図。
【図３】開閉扉を開いた状態の分別ボックスを示す斜視図。
【図４】図１におけるＡ−Ａ´線断面図。
【図５】図１におけるＢ−Ｂ´線断面図。
【図６】図１におけるＣ−Ｃ´線断面図。
【符号の説明】
【００２８】
１  ボックス本体
２  ごみ投入口
３  開閉扉
３ａ  取っ手
４  支持脚
５  側板
６  上部板
６ａ  傾斜面板
６ｂ  傾斜片
７  固体ごみ収容容器
７ａ  穴
８  中間部板
９  位置決めレール
１０  ごみ分別ボックス
１１  液体ごみ回収部
１２  ホース
１３  液体ごみ収容容器
１４  下部板
１５  背面板
１６  磁石部
【図１】
0003158031.tif 000003
【図２】
0003158031.tif 000004
【図３】
0003158031.tif 000005
【図４】
0003158031.tif 000006
【図５】
0003158031.tif 000007
【図６】
0003158031.tif 000008